(57)【要約】【課題】  表面シートに薬液が与えられて、芳香効果、消臭効果、殺菌効果を発揮でき、包装体開封時までのその効果を継続できるペット用排泄物吸収シートおよびその製造方法を提供することを目的としている。【解決手段】  ペット用排泄物吸収シート１は吸収体１２を有する長方形の吸収領域２を有している。吸収領域２に、第１の折り基準線Ｏａと吸収領域２の長辺２ａとの間に、香料成分、消臭成分、殺菌成分の少なくとも１つの成分を含む薬液を塗布した第１の薬液付着領域４を形成する。第１の折り基準線Ｏａを介して表面シート１３が内側に向くように折り畳むと、第１の薬液付着領域４に供給された薬液が転写されて第２の薬液付着領域５が形成される。第１の薬液付着領域４と第２の薬液付着領域５が、折り畳み構造の内側に位置しているため、包装中に薬液が外部に蒸発しにくい。【選択図】図１
2006238745.tif 000002
【特許請求の範囲】
【請求項１】
液不透過性の裏面シートと、液透過性の表面シートと、前記裏面シートと表面シートとの間に位置する吸収体とを有するペット用排泄物吸収シートにおいて、
前記表面シートに、香料成分、消臭成分、殺菌成分の少なくとも１つの成分を含む薬液が付着していることを特徴とするペット用排泄物吸収シート。
【請求項２】
前記表面シートは不織布であり、この不織布に前記薬液が含浸されている請求項１記載のペット用排泄物吸収シート。
【請求項３】
前記表面シートは、多数の液透過孔が形成された樹脂フィルムである請求項１記載のペット用排泄物吸収シート。
【請求項４】
表面シートどうしが対面する状態に折り畳まれて包装されるものであり、前記表面シートのうちの包装時に表面シートどうしが対面する領域に前記薬液が付着している請求項１ないし３のいずれかに記載のペット用排泄物吸収シート。
【請求項５】
包装された状態で、表面シートの一部と裏面シートとが対面する部分を有しており、前記表面シートのうちの包装時に裏面シートと対面する領域に前記薬液が付着していない請求項４記載のペット用排泄物吸収シート。
【請求項６】
以下の工程を有することを特徴とするペット用排泄物吸収シートの製造方法。
（ａ）液不透過性の裏面シートと、液透過性の表面シートと、前記裏面シートと表面シートとの間に位置する吸収体とを有する積層体を形成する工程、
（ｂ）前記積層体が形成された後に、表面シートに、香料成分、消臭成分、殺菌成分の少なくとも１つの成分を含む薬液を与える工程。
【請求項７】
前記（ｂ）の工程の後に、（ｃ）前記積層体を折り畳む工程を有する請求項６記載のペット用排泄物吸収シートの製造方法。
【請求項８】
前記（ｃ）の工程では、表面シートどうしが対面するように折り畳み、前記（ｂ）の工程では、前記表面シートのうちの（ｃ）の工程で表面シートどうしが対面する領域に薬液を与える請求項７記載のペット用排泄物吸収シートの製造方法。
【請求項９】
前記（ｃ）の工程で、表面シートの一部が裏面シートと対面するように折り畳み、前記（ｂ）の工程では、表面シートのうちの（ｃ）の工程で裏面シートと対面する領域に薬液を与えない請求項７または８記載のペット用排泄物吸収シートの製造方法。
【請求項１０】
前記（ｂ）の工程で、コーターを表面シートに接触させて前記薬液を塗布する請求項６ないし９のいずれかに記載のペット用排泄物吸収シートの製造方法。
【発明の詳細な説明】
【技術分野】
【０００１】
本発明は、床面に敷設し、または容器型のペット用トイレットの底面に敷設するなどして使用されるペット用排泄物吸収シートおよびその製造方法に関する。
【背景技術】
【０００２】
ペット用排泄物吸収シートは、床面などに対向する裏面側に液不透過性の裏面シートが設けられ、ペットが乗る表面側に液透過性の表面シートが設けられ、裏面シートと表面シートとの間に液吸収材層が介在している構造が一般的である。
【０００３】
以下の特許文献１に記載のペット用マットは、不織布の上に防水フィルムが重ねられた裏面シートが設けられ、この裏面シートの上に吸収体が設置されている。この吸収体は、パルプ層の上に吸水ポリマーが重ねられキャリアティッシュで包まれて構成されている。さらにこの吸収体の表面が不織布の表面シートで覆われている。
【０００４】
特許文献１に記載のペット用マットは、消臭、芳香または殺菌などの対策が施されていないため、犬や猫などの尿を吸収した後にマットに尿の匂いが付き、周囲にも匂いを発散する問題がある。
【０００５】
以下の特許文献２には、ペット用消臭剤に関する発明が開示されている。この発明は、液状の消臭成分と粉末状の消臭成分とが噴霧容器内に充填されているものであり、ペットがペット用トイレ砂に排泄した後に、このペット用トイレ砂に消臭剤を噴霧して消臭効果を発揮させようというものである。
【０００６】
しかし、ペットが排泄する度に、ペット用トイレ砂に消臭剤を噴霧するのは面倒である。
【特許文献１】特開２００４−１８７５９７号公報
【特許文献２】特開２００４−２４２５１６号公報
【特許文献３】実願平３−８９７０８号（実開平５−３９２５８号）のＣＤ−ＲＯＭ
【発明の開示】
【発明が解決しようとする課題】
【０００７】
前記特許文献３に記載のように、ペット用排泄物吸収シートの吸収体内に、マイクロカプセルに充填された香料を含ませることも考えられている。しかし、この吸収シートは、吸収体内のマイクロカプセルの細孔を通じて芳香臭を発散させようというものであるが、表面シートに香料が付着していないため、表面シートに付着した尿への消臭効果を十分に発揮できない。ペット用排泄物吸収シートでは、表面シートに付着した尿が蒸発してアンモニア臭などの悪臭を発するが、吸収体に香料を含ませたものでは、表面シートからの悪臭の発生を十分に抑制するのが困難である。
【０００８】
また、香料を含ませた吸収体を用いると、この吸収体を裏面シート上に供給する工程や、さらに吸収体の上に表面シートを貼り合わせる工程などにおいて、吸収体に含まれたマイクロカプセルが製造ラインのコンベアやローラなどに付着しやすい。そのため、吸収体に含まれる香料の量が低下して歩留まりが悪くなるのみならず、製造工程において吸収体に含まれた香料が空気に触れやすく、製造工程の途中において、香料の揮発により芳香効果が低下しやすい。
【０００９】
さらに、製造ライン上のコンベアやローラなどに付着した香料を除去するために頻繁に清掃を行う必要がある。特に、香料を使用したペット用排泄物吸収シートを製造した後に他の製品を同じ製造ラインで製造するときには、製造ライン全体を清掃することが必要になり、段取りの工数が多く必要となる。
【００１０】
本発明は上記従来の課題を解決するものであり、消臭効果、芳香効果、殺菌効果などを発揮でき、且つ消臭効果や芳香効果さらには殺菌効果を長く持続しやすいペット用排泄物吸収シートを提供することを目的としている。
【００１１】
また本発明は、薬液が製造ラインに付着しにくく、ライン清掃も最少にできるペット用排泄物吸収シートの製造方法を提供することを目的としている。
【課題を解決するための手段】
【００１２】
本発明は、液不透過性の裏面シートと、液透過性の表面シートと、前記裏面シートと表面シートとの間に位置する吸収体とを有するペット用排泄物吸収シートにおいて、
前記表面シートに、香料成分、消臭成分、殺菌成分の少なくとも１つの成分を含む薬液が付着していることを特徴とするものである。
【００１３】
本発明のペット用排泄物吸収シートは、表面シートに薬液が付着しているので、表面シートに与えられた尿が吸収体に移行するまでの間に、尿に消臭や殺菌効果を与えやすい。特に香料成分や消臭成分が表面シートに付着していると、表面シートに含まれた尿から揮発するアンモニア臭などの匂いの発散を抑制しやすくなる。
【００１４】
そのためには、本発明は、前記表面シートは不織布であり、この不織布に前記薬液が含浸されているものが好ましい。あるいは、前記表面シートは、多数の液透過孔が形成された樹脂フィルムで形成される。
【００１５】
本発明は、表面シートどうしが対面する状態に折り畳まれて包装されるものであり、前記表面シートのうちの包装時に表面シートどうしが対面する領域に前記薬液が付着しているものが好ましい。
【００１６】
この構造では、包装されている状態で、香料成分、消臭成分さらには殺菌成分が折り畳まれた内部に封入されるため、包装体の内部空間内に香料成分などが発散しにくくなり、包装中に香料、消臭、殺菌成分の効果を持続できるようになる。さらに、薬液が塗布された表面シートの部分から、これに対面する表面シートの部分に薬液が転写されるため、表面シートでは製造時の塗布領域よりも広い領域に薬液が分散できるようになる。
【００１７】
本発明は、さらには、包装された状態で、表面シートの一部と裏面シートとが対面する部分を有しており、前記表面シートのうちの包装時に裏面シートと対面する領域に前記薬液が付着していないものが好ましい。
【００１８】
上記構成では、表面シートに含まれる薬液が裏面シートの裏側表面に付着するのを防止でき、表面シートに含まれる薬液の量が減少するのを防止できる。
【００１９】
次に本発明のペット用排泄物吸収シートの製造方法は、以下の工程を有することを特徴とするものである。
【００２０】
（ａ）液不透過性の裏面シートと、液透過性の表面シートと、前記裏面シートと表面シートとの間に位置する吸収体とを有する積層体を形成する工程、
（ｂ）前記積層体が形成された後に、表面シートに、香料成分、消臭成分、殺菌成分の少なくとも１つの成分を含む薬液を与える工程。
【００２１】
本発明の製造方法では、裏面シート、吸収体および表面シートなどから成る積層体の製造が完了した後に、薬液を表面シートに与えているため、薬液を与えてから包装体に梱包されるまでの行程を短くでき、香料、消臭、殺菌成分が大気中に蒸発しにくく、これらの効果を維持したまま包装されるようになる。
【００２２】
さらに本発明は、薬液を与える工程の後に、（ｃ）前記積層体を折り畳む工程を含むものである。
【００２３】
この場合、前記（ｃ）の工程で、表面シートどうしが対面するように折り畳み、前記（ｂ）の工程では、前記表面シートのうちの（ｃ）の工程で表面シートどうしが対面する領域に薬液を与えることが好ましい。
【００２４】
さらには、前記（ｃ）の工程で、表面シートの一部が裏面シートと対面するように折り畳み、前記表面シートのうちの裏面シートと対面する領域に薬液を与えないことが好ましい。
【００２５】
また本発明は、前記（ｂ）の工程で、コーターを表面シートに接触させて前記薬液を塗布するものである。
【００２６】
コーターを表面シートに接触させて薬液を塗布すると、作業工程中に薬液が周囲の大気中に飛散するのを抑制でき、薬液を表面シートに無駄がなく与えることができるようになって、薬液の歩留まりを向上させることができる。
【発明の効果】
【００２７】
本発明のペット用排泄物吸収シートは、薬液が表面シートに付着しているため、表面シートを通過する尿、または表面シートに付着する尿に対して、香料成分、消臭成分、殺菌成分の効果を十分に与えることができる。また表面シートに香料成分が付着しているものでは、この香料が表面シートから空気中に揮発するため、芳香効果を発揮しやすくなる。
【００２８】
本発明のペット用排泄物吸収シートの製造方法は、薬液を与えてから包装に至るまでの行程を短くでき、薬液の効果を高く維持したまま包装できるようになる。また薬液が周囲に発散しにくいため、薬液の歩留まりも向上できる。
【発明を実施するための最良の形態】
【００２９】
図１は本発明の１実施の形態のペット用排泄物吸収シート１を表面から示す平面図、図２は図１のＩＩ−ＩＩ線の断面を示す半断面図である。図３は前記ペット用排泄物吸収シート１が包装時に折り畳まれた状態を示す端面図、図４は前記ペット用排泄物吸収シート１を平面状に展開した状態を示す端面図であり、図１のＩＶ矢視図である。
【００３０】
図１に示すペット用排泄物吸収シート１は、一対の長辺１ａと一対の短辺１ｂを有する長方形状である。Ｘ方向がこのペット用排泄物吸収シート１を製造する際の製品の流れ方向（ＭＤ：Machine Direction）である。ペット用排泄物吸収シート１は、Ｘ方向に延びる長辺１ａの長さが３００〜１２００ｍｍ程度、Ｙ方向に延びる短辺１ｂの長さが２００〜９００ｍｍ程度の広い面積を有する。前記寸法は対応するペットの種類によって変化するものであり、前記寸法に限定されるものではない。
【００３１】
ペット用排泄物吸収シート１は、中央部分が吸収領域２であり、この吸収領域２は、一対の長辺２ａと一対の短辺２ｂを有する長方形状である。長辺１ａと長辺２ａとの間、および短辺１ｂと短辺２ｂとの間は、非吸収領域であり、その幅寸法は１０〜５０ｍｍ程度である。
【００３２】
図２の断面図では、各要素を実際の製品よりも厚いものとして図示している。本明細書では、各要素のうちの受液側を表面（表側）とし、床面などに設置される側を裏面（裏側）として説明する。
【００３３】
図２の断面図に示すように、ペット用排泄物吸収シート１は、液不透過性の裏面シート１１と、その上に配置された吸収体１２と、吸収体１２の表面を覆う液透過性の表面シート１３とを有している。吸収体１２が存在している領域が前記吸収領域２である。長辺１ａと長辺２ａとの間、および短辺１ｂと短辺２ｂとの間には吸収体１２が介在しておらず、裏面シート１１と表面シート１３とが直接接着されている。なお、長辺１ａと長辺２ａとの間、および短辺１ｂと短辺２ｂとの間に、親水紙などの薄い吸収シートを介在させて液吸収機能を発揮できるようにしてもよい。
【００３４】
裏面シート１１は、ポリエチレン樹脂などで形成された樹脂フィルムで形成されている。表面シート１３は、液透過性の不織布で形成され、または多数の液透過孔が形成された不織布で形成されている。不織布は、ポリエチレン樹脂繊維やポリプロピレン樹脂繊維などの合成樹脂繊維で形成されたポイントボンド不織布、レーヨンで形成されたスパンレール不織布、レーヨンと合成樹脂繊維で形成されたスパンレース不織布、合成樹脂繊維で形成されたスパンボンド不織布などである。これら不織布には、親水性繊維または親水処理された合成樹脂繊維が含まれていることが好ましい。または、表面シート１１は、多数の液透過孔が形成されたポリエチレン樹脂フィルムなどの開孔樹脂フィルムで形成される。
【００３５】
吸収体１２は、粉砕パルプに高吸水性ポリマー（ＳＡＰ）が混入された吸収材層２１と、この吸収材層２１の表面に分散して配置された高吸水性ポリマー（ＳＡＰ）２２と、吸収材層２１と高吸水性ポリマー２２とを包む親水紙２３，２４とで構成されている。親水紙２３は、吸収体１２の底面および長辺２ａに位置する側面を覆い、親水紙２４が吸収体１２の表面を覆っている。表面シート１３と、吸収体１２を構成する前記親水紙２４は、液の透過を妨げないように塗布されたホットメルト型接着剤を介して互いに接着されている。
【００３６】
吸収体１２は、粉砕パルプの目付けが５０〜２００ｇ／ｍ２程度であり、高吸水性ポリマーの分散量が１５〜１００ｇ／ｍ２程度である。親水紙２３，２４は親水性繊維であるパルプで抄紙されたティッシュペーパであり、目付けは１０〜２０ｇ／ｍ２程度である。
【００３７】
高吸水性ポリマーは、ポリアクリル酸ナトリウムの橋かけ化合物、ポリアクリル酸ナトリウムのデンプン共重合体、ポリアクリロニトリルのセルロース共重合体などが使用される。吸収材層２１の内部に含まれる高吸水性ポリマーおよび吸収材層２１の表面に分散する高吸水性ポリマー２２は上記ポリマーで形成された粒状体である。
【００３８】
液吸収領域２において、表面シート１３に薬液が塗布されている。この実施の形態では、図１に示すように、主に第１の薬液付着領域４と第２の薬液付着領域５に多くの薬液が付着している。図１では、製造時の製品の流れ方向（ＭＤ）に延びる中心線をＯｘで示している。第１の薬液付着領域４は中心線Ｏｘから長辺２ａ側へ離れた位置で、且つ長辺２ａに接近する位置にある。第１の薬液付着領域４は、Ｙ方向がほぼ一定の幅寸法でＸ方向へ直線的に延びる帯状に形成されている。
【００３９】
図５の製造方法でさらに詳しく説明するが、図１では、包装時にペット用排泄物吸収シート１を折り畳む際の第１の折り基準線をＯａで示している。前記第１の薬液付着領域４は、第１の折り基準線Ｏａと長辺２ａとの間に位置している。第１の薬液付着領域４は、製造工程において薬液が塗布される領域である。薬液を塗布した後に、ペット用排泄物吸収シート１が第１の折り基準線Ｏａを介して折り畳まれると、表面シート１３どうしが接触し、第１の薬液付着領域４に塗布された薬液が、第２の薬液付着領域５に転写される。
【００４０】
前記薬液は、香料成分、消臭成分、殺菌成分のいずれか１つの成分を含むものであり、またはいずれかの成分が組み合わされて含まれている。
【００４１】
香料成分は、例えばゲラニオール、シトロネロール、シトラール、オイゲノール、フェネチルアルコール、チモール、リナロール、青葉アルコール、メントール、ベンジルアルコールなどのアルコール類や、ヘキシルシナムンアルデヒドなどのアルデヒド類、あるいはガラクソライドなどのうちのいずれか１種以上であり、使用時に表面シート１３から揮発して芳香効果を与え、且つアンモニア臭などの匂いの発散を抑制する消臭効果も期待できものである。
【００４２】
消臭成分は、各種悪臭成分を分解する機能を有するものであり、例えばカテキン、タンニン、フラボノイド、ポリフェノール、あるいは月桂樹製油、セージ製油、しょうが製油、ペパーミント精油などのうちのいずれか１種以上が選択されて使用される。殺菌成分は、尿や便などに含まれる雑菌を殺すものであり、例えばベンザルコニウム塩、塩化ベンゼトニウム、メチルイソプロピルフェノールなどから選ばれたいずれか１種以上の成分が用いられる。
【００４３】
これら香料成分、消臭成分、殺菌成分は、ジプロピレングリコール、エタノール、グリセリンなどの溶剤に含まれた液状の状態で表面シート１３に塗布される。
【００４４】
薬液の塗布方法は、図５に示すコーター５１を表面シート１３に直接に接触させて塗工する方法、表面シート１３から少し離れた位置からスプレー噴霧する方法など種々の方法が可能であるが、ペット用排泄物吸収シート１の製造工程において、薬液が周囲に分散しないように、前記コーター５１を用いる方法が好ましい。
【００４５】
図３は、ペット用排泄物吸収シート１が包装されるときの折り畳み体１Ａを示している。この折り畳み体１Ａは、中心線Ｏｘと平行な第１の折り基準線Ｏａを介して表面シート１３が内側に向くように折り畳まれ、さらに中心線Ｏｘと平行な第２の折り基準線Ｏｂを介して、表面シート１３が裏面シート１１の裏面に重なるように折り畳まれて３枚重ね折り状態となっている。この折り畳み体１Ａでは、製造時に薬液を塗布した第１の薬液付着領域４が、折った形状の内部に位置し、表面シート１３どうしの接触によって薬液が転写された第２の薬液付着領域５も、折った形状の内部に位置しており、第１の薬液付着領域４と第２の薬液付着領域５が折り畳み体１Ａの外面に露出していない。したがって、第１の薬液付着領域４と第２の薬液付着領域５に付着した薬液が、折り畳み体１Ａの外側へ揮発しにくい構造となっている。
【００４６】
また、折り畳み体１Ａでは、第２の折り基準線Ｏｂを介して折り畳まれることにより、表面シート１３の一部が裏面シート１１の裏面に対面しているが、この表面シート１３の裏面シート１１との対面領域では、表面シート１３に予め薬液が塗布されていない。よって、薬液が裏面シート１１に付着しにくい。また、表面シート１３を構成する不織布が親水性繊維または親水処理された合成樹脂繊維を含んでいる場合には、第２の薬液付着領域５に付着した薬液が繊維間の毛細管現象により、表面シート１３を伝わって、表面シート１３のうちの裏面シート１１と対面する領域に浸透することもあり得る。しかし、そのときの表面シート１３に含まれる薬液の単位面積当たりの量は比較的少ないため、表面シート１３から裏面シート１１に多くの薬液が転写される心配はさほどない。
【００４７】
また、本発明では、第１の薬液付着領域４が図４に示す１本の帯状のものに限られるものではなく、第１の折り基準線Ｏａと長辺２ａとの間において、薬液を複数本の帯状に塗布したり、または薬液を波状などのパターンで塗布してもよい。また、図３の折り畳み体１Ａにおいて、表面シート１３どうしが対面している領域の全域またはほぼ全域の広い範囲に薬液を塗布してから折り畳むようにしてもよい。
【００４８】
ペット用排泄物吸収シート１を使用するときには、包装体を開封して図３に示す折り畳み体１Ａを取り出し、図１および図４に示すように平面的に展開して、裏面シート１１が床面に敷設されるように、または裏面シート１１が凹形状の容器型のペット用トイレットの底面に敷設されるように設置される。包装時に、ペット用排泄物吸収シート１は、表面シート１３どうしが対面するように折り畳まれているため、第１の薬液付着領域４および第２の薬液付着領域５に付着している薬液が、吸収領域２の表面で拡散する。よって、ペット用排泄物吸収シート１を展開して使用するときには、吸収領域２の広い範囲で、表面シート１３に薬液を含ませた状態とすることができる。
【００４９】
犬や猫などのペットが表面シート１３の上に乗って排尿したときに、その尿は表面シート１３を通過する時点で、薬液による消臭効果や殺菌効果を受けるため、尿が吸収体１２に吸収された後に周囲に異臭を及ぼすのを抑制しやすい。また香料を使用する場合には、その香料が表面シート１３から揮発するなどし、周囲の悪臭が拡散するのを防止しやすい。
【００５０】
図５（Ａ）（Ｂ）（Ｃ）（Ｄ）（Ｅ）（Ｆ）（Ｇ）は、図１ないし図４に示したペット用排泄物吸収シート１の製造方法の一例を示す工程説明図である。図５では、製造時の製品の流れ方向ＭＤを矢印で示している。
【００５１】
図５の工程（Ａ）では、裏面シート１１となる連続する帯状裏面シート１１１が供給され、この帯状裏面シート１１１の上に、吸収体１２となる帯状吸収体１１２が供給され、帯状裏面シート１１１と帯状吸収体１１２とがホットメルト型接着剤によって接着される。帯状吸収体１１２は、帯状に連続する親水紙２３，２４がキャリアシートとして使用され、長方形の吸収材層２１および高吸水性ポリマー２２がＭＤに所定の間隔を開けて配置されて、親水紙２３，２４で包まれている。
【００５２】
さらに、工程（Ａ）では、帯状吸収体１１２の上から、表面シート１３となる帯状表面シート１１３が供給される。ホットメルト型接着剤によって、帯状吸収体１１２と帯状表面シート１１３とが接着され、帯状吸収体１１２が存在していない両側部では、帯状裏面シート１１１と帯状表面シート１１３とが接着される。そして、図５の工程（Ｂ）に示すように、帯状裏面シート１１１と帯状吸収体１１２および帯状表面シート１１３が積層されて接着された帯状積層体１０１が形成される。
【００５３】
図５の工程（Ｃ）では、前記帯状積層体１０１が形成された後に、コーター５１によって薬液が帯状表面シート１１３の表面に塗工されて、第１の薬液付着領域４が形成される。この第１の薬液付着領域４は、第１の折り基準線Ｏａと、吸収領域２の長辺２ａとで挟まれた領域内に形成される。コーター５１から供給される薬液は、吸収領域２の長辺２ａとペット用排泄物吸収シート１の長辺１ａとの間に塗布しないことが好ましい。前記長辺１ａと長辺２ａとの間では、帯状裏面シート１１１と帯状表面シート１１３とが接着されている領域であるため、この部分にコーター５１から薬液が直接に与えられると、多くの薬液が帯状表面シート１１３に浸透し、ホットメルト型接着剤の接着強度を低下させるおそれがある。
【００５４】
次に、図５の工程（Ｄ）において、第１の折り基準線Ｏａを介して帯状積層体１０１が折り畳まれる。この工程では、帯状表面シート１１３どうしが対面するように折り畳まれ、前記第１の薬液付着領域４が帯状表面シート１１３に接触する。このときに、第１の薬液付着領域４に与えられている薬液が対面する帯状表面シート１１３に与えられ、図１，図３および図４に示すように、中心線Ｏｘ付近において、第１の薬液付着領域４から薬液が帯状表面シート１１３に転写されて、第２の薬液付着領域５が形成される。
【００５５】
さらに図５の工程（Ｅ）において、帯状積層体１０１が、第２の折り基準線Ｏｂを介して折り畳まれる。この折り畳み工程では、帯状表面シート１１３の一部が帯状裏面シート１１１の裏面に重ねられて、３枚重ねの折り畳み構造となる。帯状裏面シート１１１に重ねられる部分では、帯状表面シート１１３に薬液が塗布されていないため、帯状裏面シート１１１の裏面に多くの薬液が付着することを防止できる。
【００５６】
次に、帯状折り畳み体１０１Ａが、吸収材層２１と吸収材層２１との中間で切断され、図５（Ｆ）に示すように、個々のペット用排泄物吸収シート毎に分離された折り畳み体１Ａが形成される。さらに、折り畳み体１ＡはＭＤと直交する方向に延びる横折り基準線Ｏｃを介して折り畳まれるなどして折り畳みシート１Ｂが完成する。この折り畳みシート１Ｂが１個ずつ包装シートで密封包装され、または折り畳みシート１Ｂが複数個重ねられて密封包装される。
【００５７】
図５に示す製造方法では、工程（Ａ）と工程（Ｂ）において、薬液を塗布する作業が存在していため、前記工程（Ａ）（Ｂ）において、製造ラインのコンベアやローラなどに薬液が付着するのを防止できる。さらに工程（Ｃ）では、コーター５１が帯状表面シート１１３に接触して、コーター５１から帯状表面シート１１３に直接薬液が供給されるため、薬液が周囲に飛散するのを抑制できる。さらにコーター５１で薬液を塗布した直後の工程（Ｄ）において、薬液を塗布した第１の薬液付着領域４が内側に向くように折り畳まれるため、工程（Ｄ）以降において薬液が製造ラインのコンベアやローラなどに付着しにくくなる。
【００５８】
そのため、製造ラインのコンベアやローラに付着した薬液を除去するための清掃を頻繁に行う必要がなくなる。
【００５９】
なお、本発明は上記実施の形態に限定されるものではなく、種々の変形が可能である。
例えば、ペット用排泄物吸収シート１は、中心線Ｏｘを介して表面シート１３が内側に向くように２枚重ねに折り畳み、その後にさらに裏面シート１１どうしが対面するように折り畳んでもよい。このような折り畳み状態では、吸収領域２のほぼ全域が二つ折りとなって、吸収領域２の表面に位置する表面シート１３のほぼ全面どうしが対面する。したがって、吸収領域２のほぼ全域において表面シート１３に薬液を付着させても、この薬液が折り畳み構造の内側に位置するようになり、薬液が外部に付着したり裏面シート１１に付着するのを防止しやすい。
【図面の簡単な説明】
【００６０】
【図１】本発明のペット用排泄物吸収シートの１実施の形態を表面シート側から示す平面図である。
【図２】図１に示すペット用排泄物吸収シートをＩＩ−ＩＩ線で切断した半断面図である。
【図３】図１に示すペット用排泄物吸収シートが折り畳まれた折り畳み体を示す端面図である。
【図４】ペット用排泄物吸収シートが展開された状態を示す端面図であり、図１のＩＶ矢視図である。
【図５】ペット用排泄物吸収シートの製造工程の一例を示す説明図である。
【符号の説明】
【００６１】
１  ペット用排泄物吸収シート
１Ａ  折り畳み体
１ａ  長辺
１ｂ  短辺
２  吸収領域
２ａ  長辺
２ｂ  短辺
４  第１の薬液付着領域
５  第２の悪疫付着領域
１１  裏面シート
１２  吸収体
１３  表面シート
５１  コーター
１１１  帯状裏面シート
１１２  帯状吸収体
１１３  帯状表面シート
【図１】
2006238745.tif 000003
【図２】
2006238745.tif 000004
【図３】
2006238745.tif 000005
【図４】
2006238745.tif 000006
【図５】
2006238745.tif 000007